(57)【要約】【課題】夜景や夜空、花火、星等の写真、絵などの中の光に当たる部分は明度、彩度による絵の技法や写真の映り等で表現している。この写真、絵の中の光の部分に実際の光の輝きを入れ、光の部分を電気の光で表現する電気照明器具表面カバーとする。  【解決手段】  電気照明器具の表面カバーに夜景や夜空、花火、星等の写真、絵などをプリントし、プリントした写真、絵などの中の照明、火、星等の光る部分に貫通孔を開け、蛍光灯、電球等の光を孔から射出し、写真、絵などの中の光の部分を電気の光とすることで夜景等の写真、絵をリアルに表現することを特徴とした電気照明器具の表面カバーとする。【選択図】        図１
2011044328.tif 000002
【特許請求の範囲】
【請求項１】
電気照明器具の表面カバーに夜景や夜空、花火、星等の写真、絵などをプリントし、プリントした写真、絵などの中の照明、火、星等の光る部分に貫通孔を開け、蛍光灯、電球等の光を孔から射出し、写真、絵などの中の光の部分を電気の光とすることで夜景等の写真、絵をリアルに表現することを特徴とした電気照明器具の表面カバー
【請求項２】
蛍光灯、電球等と電気照明器具の表面カバーとの間に、回転により透過する光の色を変化させるように着色するか、各色のセロハン（１４）などを貼り付けた、光の透過性の大きい、薄い合成樹脂板で作られた回転盤（８）または回転筒（９）と組み合わせた請求項１の電気照明器具の表面カバー
【請求項３】
表面カバーに貫通孔を開ける代わりに、光の透過性の高い電気照明器具カバーとし、それに写真、絵などの中の照明、火、星等の光る部分に貫通孔を開け、蛍光灯、電球等の光が孔から射出するようにした夜景や夜空、花火、星等の写真、絵、プリントしたものなどを貼り付けるか、この写真、絵、プリントしたものなどを電気照明器具の表面カバーと透明な薄い合成樹脂板で挟むようにした電気照明器具の表面カバー
【請求項４】
照明器具表面カバーを回転可能にした請求項１、３の電気照明器具の表面カバー
【発明の詳細な説明】
【技術分野】
【０００１】
本発明は、写真、絵などの中の照明、火、星等の光る部分に貫通孔を開け、蛍光灯、電球等の光を射出し、写真、絵などの中の光の部分を電気の光とすることで夜景等の写真、絵をリアルに表現する電気照明器具の表面カバーに関する。
【背景技術】
【０００２】
夜景や夜空、花火、星等を描いた写真、絵などの光に当たる部分は明度、彩度による絵の技法や写真の映りの明暗で表現している。広告灯では写真、絵、文字等を表面カバーにプリントもしくはペイントし、蛍光灯、電球等で光を照射し、利用している。従来の照明用電気器具での照明器具の表面カバーは光の透過性を落とし、直接目にまぶしさを与えない乳白色のものを用いている。電気の光を直接利用し、文字、絵を装飾したものに発光ダイオードを利用したものやネオンサイン、多数の透光孔を貫通究設して所定の絵柄を作るため、ホログラム紙を貼設したものを装飾シートとして用いたもの、電球またはネオン管を用いてデザイン、電飾したものがある。
【先行技術文献】
【特許文献】
【０００３】
【特許文献１】特開２０００−３１８３９７
【特許文献２】特開１９９７−１０１７５１
【特許文献３】実用登録新案第３１３９５２０
【発明の概要】
【発明が解決しようとする課題】
【０００４】
夜景や夜空、花火、星等を描いた写真、絵などの光に当たる部分は明度、彩度による絵の技法や写真の映りの明暗で表現している。この写真、絵の中の光は現実の光の明るさ、輝きと大きく違いがあり、写真、絵で実物の星、蛍光灯、電球等の輝きを引き出すことが難しい。広告灯では写真、絵、文字等を表面カバーにプリントもしくはペイントし、蛍光灯、電球等で光を照射しているが、プリントもしくはペイントした表面カバーは光の透過性を落とし、直接目にまぶしさを与えないようになっているため光の輝きが少ない。また、プリントもしくはペイントした写真、絵などを全体的に照射しており、夜景や夜空、花火、星等が描かれている中の照明、花火、星等の光の部分に集中して実物の蛍光灯や電球、星等の輝きになるよう射出していない。全体的に照射した電気照明器具ではプリントもしくはペイントした写真、絵の中の照明、花火、星等の光の部分は実物の光の明るさ、輝きと隔たりがある。特開２０００−３１８３９７では電気の光を直接利用し、多数の透光孔を貫通究設して所定の絵柄を作るため、ホログラム紙を貼設したものを装飾シートとして用い、電気の光で文字、花などの絵をデザインし、形にしている。直接電気の光で文字、花などの絵を形にしてデザインしているものに発光ダイオードを用いた実用登録新案第３１３９５２０の装飾灯やネオンサイン、電球またはネオン管を用いたものがある。いずれも電気の光を直接利用しているが、電気の光で形をデザインしているもので、電気の光を写真や絵の中の光の部分に焦点を当て表現したものではない。簡易に安価に、夜景や夜空、花火、星等が描かれている写真、絵などに、実物の蛍光灯、電球等の輝きを射出し、写真、絵などの中の光の部分を電気の光とすることで夜景等の写真、絵をリアルに表現する電気照明器具の表面カバーを開発する。
【課題を解決するための手段】
【０００５】
電気照明器具の表面カバーに夜景や夜空、花火、星等の写真、絵などをプリントし、プリントした写真、絵などの中の照明、火、星等の光る部分に貫通孔を開け、蛍光灯、電球等の光を孔から射出し、写真、絵などの中の光の部分を電気の光とすることで夜景等の写真、絵をリアルに表現することを特徴とした電気照明器具の表面カバーとする。本案により夜景や夜空、花火、星等を描いた写真、絵などに直接蛍光灯、電球の輝きを射出し、夜景等をリアルに表現できる。蛍光灯、電球等には白熱電球、ナトリウム灯、水銀灯など各種の電灯を含むものとする。電球等の光を射出するには、穴を開けるだけなのでＬＥＤなど使わずに済み、簡易にかつ安価にできる。電気照明器具なので夜間等の安全用、照明を兼用し、広告灯としても十分な働きを持つものである。
【発明の効果】
【０００６】
夜景や夜空、花火、星等の写真、絵などの中の照明、火、星等の光る部分に貫通孔を開け、蛍光灯、電球等の光が射出することで簡易に安価に夜景等をリアルに表現することができる。
【図面の簡単な説明】
【０００７】
【図１】電気照明器具の表面カバーを直方体形にし、横浜ベイブリッジの夜景の写真（３）を例に、写真、絵などの照明、火、星等の光る部分に貫通孔を開けた請求項１の説明図である。
【図２】電気照明器具の表面カバーを直方体形にし、回転盤（８）と組み合わせた請求項２の説明図である。
【図３】電気照明器具の表面カバーを円筒形にした請求項１〜４の概略図である。
【発明を実施するための形態】
【０００８】
電気照明器具の表面カバーに夜景や夜空、花火、星等の写真、絵などをプリントし、プリントした写真、絵などの中の照明、火、星等の光る部分に貫通孔を開け、蛍光灯、電球等の光を孔から射出し、写真、絵などの中の光の部分を電気の光とすることで夜景等の写真、絵をリアルに表現することを特徴とした電気照明器具の表面カバーでは、全ての光の部分に貫通孔を開けなくとも要所に開けることで十分に光の効果を引き出せ、写真、絵をリアルにすることが可能である。さらに貫通孔を開けた部分に各種の色のセロハン（１４）等を貼ることで光る部分の細かい表現が可能となる。請求項２のように蛍光灯、電球等と電気照明器具の表面カバーとの間に、回転により透過する光の色を変化させるように着色するか、各色のセロハン（１４）などを貼り付けた、光の透過性の大きい、薄い合成樹脂板で作られた回転盤（８）または回転筒（９）と組み合わせた請求項２の電気照明器具の表面カバーとすることで光りの輝きに変化が生まれ、絵、写真の中の光る部分にイルミネーション効果を計ることができる。特開１９９７−１０１７５１で回転盤が設けられているが、本願の回転盤、回転筒は電気照明器具の表面カバーの電球の光のイルミネーション効果を計るために用い、使用する目的と併用する表面カバーに相違がある。本願表面カバーは図１のように直方体形、図３ように円筒形にするなど各種の形状の照明用電気器具に対応することができる。さらに照明器具本体の蛍光灯、電球等の明るさを調整できるようにするとさまざまな時間帯の夜景を表現することもできる。安価にするには電球等は単数で充分であるが、大きな画面には複数用いて対応する。表面カバーに貫通孔を開ける代わりに、光の透過性の高い電気照明器具の表面カバーとし、それに写真、絵などの中の照明、火、星等の光る部分に貫通孔を開け、蛍光灯、電球等の光が孔から射出するようにした夜景や夜空、花火、星等の写真、絵、プリントしたものなどを貼り付けるか、この写真、絵、プリントしたものなどを電気照明器具の表面カバーと透明な薄い合成樹脂板で挟むようにした請求項３の電気照明器具の表面カバーとすることでも請求項１と同等の表現が可能となり、しかも簡易に絵、写真を取り替えることができる。請求項４のように電気照明器具の表面カバー自身をモーター、ギヤ、摩擦車等の回転機構（１２）を使い、回転できるようにすると円周上の画面を定位置で見ることができる。
【産業上の利用可能性】
【０００９】
本発明による電気照明器具の表面カバーは写真、絵などの光の部分をリアルに表現でき、工業的にも量産することが可能であるため、産業上の利用可能性を有する。  
【符号の説明】
【００１０】
１  電気照明器具本体
２  電気照明器具の表面カバー
３  横浜ベイブリッジの夜景の写真例
４  穴の開いた部分から光が射出することを示す  
５  電気照明器具本体と表面カバーの接合部分
６  蛍光灯及び電球等
７  夜景、花火、星等を描いた写真、絵などの中の照明、火、星等の光る部分に穴を開け、蛍光灯、電球等の光がその穴から射出するようにしたところ
８  光の透過性の大きい、薄い合成樹脂板で作られた回転盤
９  光の透過性の大きい、薄い合成樹脂板で作られた回転筒
１０  光のイルミネーション効果を計るための着色部分、または各色セロファン
１１  回転盤の回転軸
１２  円筒形にした電気照明器具の表面カバー回転機構
１３  円筒形にした電気照明器具の表面カバー
１４  各色セロハン等
１５  回転盤回転機構
１６  回転筒回転軸及び回転機構
【図１】
2011044328.tif 000003
【図２】
2011044328.tif 000004
【図３】
2011044328.tif 000005